(57)【要約】【課題】  フレームの軽量化を図りつつ、剛性の低下を防止することができるホースリールを提供する。【解決手段】  ホースリールのフレーム１１右側面３１に、ドラムを回動するハンドルが挿通する円形穴３５を形成する。この円形穴３５の中心、すなわち円形穴３５に支持されるハンドル３２の回転中心軸１０１を中心とした仮想円１０２に沿って、円弧状の開口部１０３，１０３を開設し、フレーム１１の軽量化を図る。各開口部１０３，１０３の内縁に、内方へ突出するフランジ１１１，１１１を全周に渡って形成し、当該フレーム１１を補強する。【選択図】        図５
2005145612.tif 000002
【特許請求の範囲】
【請求項１】
ドラムを回動するハンドルがフレームの側面より延出したホースリールにおいて、
前記フレームの前記側面に、前記ハンドルの回転軸を中心とした仮想円に沿って延在する円弧状の開口部を設けたことを特徴とするホースリール。
【請求項２】
前記開口部の縁部にフランジを形成したことを特徴とする請求項１記載のホースリール。
【請求項３】
前記ドラムを前記フレームと異なる色に設定したことを特徴とする請求項１又は２記載のホースリール。
【発明の詳細な説明】
【技術分野】
【０００１】
本発明は、ホースを巻き取るホースリールに関する。
【背景技術】
【０００２】
従来、散水用のホースを巻き取る際には、ホースリールが用いられていた。
【０００３】
このホースリールとしては、ケース状のフレームと、該フレームに回動自在に支持されたドラムとで構成されたものが知られている。
【発明の開示】
【発明が解決しようとする課題】
【０００４】
しかしながら、このようなホースリールにあっては、フレームの軽量化が課題とされていた。
【０００５】
本発明は、このような従来の課題に鑑みてなされたものであり、フレームの軽量化を図ることができるホースリールを提供することを目的とするものである。
【課題を解決するための手段】
【０００６】
前記課題を解決するために本発明の請求項１のホースリールにあっては、ドラムを回動するハンドルがフレームの側面より延出したホースリールにおいて、前記フレームの前記側面に、前記ハンドルの回転軸を中心とした仮想円に沿って延在する円弧状の開口部を設けた。
【０００７】
すなわち、フレームの側面には、ハンドルの回転軸を中心とした仮想円に沿って延在する円弧状の開口部が設けられており、当該フレームの軽量化が図られる。
【０００８】
また、請求項２のホースリールにおいては、前記開口部の縁部にフランジを形成した。
【０００９】
すなわち、フレームに形成された開口部の縁部には、フランジが形成されており、前記フレームは、このフランジによって補強される。
【００１０】
そして、このフランジは、フレームより延出するハンドルの回転軸を中心とする仮想円に沿って形成されることとなる。このため、ホース巻取り時にハンドルより加えられる回転方向への力に抗することができる。
【００１１】
さらに、請求項３のホースリールでは、前記ドラムを前記フレームと異なる色に設定した。
【００１２】
これにより、フレームに設けられた開口部からドラムの色を表出させることができる。
【発明の効果】
【００１３】
以上説明したように、本発明の請求項１のホースリールにあっては、フレームの側面に円弧状の開口部を設けることにより、フレームの軽量化を図ることができる。
【００１４】
また、請求項２のホースリールにおいては、フレームに形成された開口部の縁部には、フランジが形成されており、前記フレームを、このフランジによって補強することができる。
【００１５】
したがって、フレームの軽量化を図りつつ、剛性を高めることができる。
【００１６】
そして、このフランジを、ドラムを回動するハンドルの回転軸を中心とした仮想円に沿って形成することができる。これにより、ホース巻取り時にハンドルより加えられる回転方向への力に対する剛性を高めることができる。
【００１７】
このため、フレームの側面に、縦方向や横方向や斜め方向に延在する開口部を単純に開設し、該開口部にフランジを設ける場合と比較して、フレームを効率的に補強することができる。
【００１８】
さらに、請求項３のホースリールにおいては、フレームに設けられた開口部からドラムの色を表出させることにより、フレームにアクセントを付けることができる。これにより、デザイン性が向上する。
【発明を実施するための最良の形態】
【００１９】
以下、本発明の一実施の形態を図に従って説明する。図１は、本実施の形態にかかるホースリール１を示す図であり、該ホースリール１は、ホースを巻き取る際に使用されるものである。
【００２０】
このホースリール１は、矩形箱状のフレーム１１と、該フレーム１１内部に回動自在に収容されるドラム１２とを備えている。前記フレーム１１と前記ドラム１２とは、別金型で成形されており、前記フレーム１１は白色の樹脂で、また前記ドラム１２はオレンジ色の樹脂で形成されている。これにより、前記フレーム１１と前記ドラム１２とは異なる色に設定されている。
【００２１】
このドラム１２は、左ドラム構成部１３と右ドラム構成部１４とからなり、両構成部１３，１４を連結することで、ホースが巻かれる胴部１５の両端に鍔部１６，１６が形成されるように構成されている。
【００２２】
前記フレーム１１も、左フレーム構成部２１と右フレーム構成部２２とからなり、両フレーム構成部２１，２２を連結した状態で前記ドラム１２を収容する箱形状に形成されるように構成されている。このフレーム１１の前面２３及び後面２４には、図２にも示すように、蒲鉾形状の出入口２５が開口しており、前記ドラム１２に巻かれたホースが、いずれかの出入口２５を挿通するように構成されている。
【００２３】
前記フレーム１１の右側面３１からは、クランク状のハンドル３２が延出しており、該ハンドル３２に設けられた支持軸３３には、握持部３４が回動自在に取り付けられている。このハンドル３２は、前記フレーム１１の右側面３１の円形穴３５を貫通して前記ドラム１２に固定されており、当該ハンドル３２を回転操作することで、前記ドラム１２を回動して該ドラム１２にホースを巻回できるように構成されている。
【００２４】
前記ドラム１２の胴部１５内には、ホース連結部４１が設けられており、該ホース連結部４１の一端部は、前記フレーム１１の左側面４２に凹設された凹部４３の挿通穴４４に挿入された状態で固定されている。このホース連結部４１の他端部には、図１にも示したように、前記ドラム１２に巻き取られる巻取りホース４５が、抜け止め４６及び固定ナット４７によって固定されており、前記巻取りホース４５内には、折り曲げ防止用のコイルスプリング４８が内嵌されている。
【００２５】
この巻取りホース４５の先端には、図１に示したように、接続プラグ４９が固定されており、水道の蛇口に設けられた図外のソケットに接続できるように構成されている。これにより、前記ドラム１２に巻回された巻取りホース４５を、前記出入口２５から延出するとともに、前記接続プラグ４９を前記ソケットに接続することで、蛇口から水道水が供給されるように構成されている。
【００２６】
前記フレーム１１より延出した前記ホース連結部４１の一端部には、図１及び図２に示すように、脱着式のホース接続部５１が回動自在に取り付けられている。該ホース接続部５１は、Ｌ字状に屈曲された筒状部材からなり、当該ホース接続部５１の先端部は、前記フレーム１１の左側面４２に沿って延在するように構成されている。このホース接続部５１の先端部には、フレーム１１側部より延出する延出ホース５２が、前述同様との接続プラグ５３を介して、着脱自在に接続されるように構成されており、前記延出ホース５２の先端には、散水ノズル５４が設けられ、前記蛇口からの水道水を散水できるように構成されている。
【００２７】
ここで、前記巻取りホース４５に前記接続プラグ４９を設け、前記延出ホース５２に前記散水ノズル５４を設けた場合を例に挙げて説明したが、これに限定されるものでは無く、前記巻取りホース４５に前記散水ノズル５４を設け、前記延出ホース５２に前記接続プラグ４９を設けても良い。
【００２８】
前記ホース接続部５１が設けられた前記凹部４３の上部及び下部には、図２及び図３に示すように、側方に膨出した巻き付け部６１，６１が形成されており、前記ホース接続部５１に接続された前記延出ホース５２を、両巻き付け部６１，６１に巻き付けられるように構成されている。前記フレーム１１の左側面４２からの各巻き付け部６１，６１の突出量６２は、前記フレーム１１の前記左側面４２からの前記ホース接続部５１の突出量６３以上となるように設定されており、前記ホース連結部５１が前記各巻き付け部６１，６１端面６４，６４が構成する仮想平面より突出しないように構成されている。
【００２９】
ここで、前記フレーム１１の左側面４２からの各巻き付け部６１，６１の突出量６２は、前記フレーム１１の前記左側面４２からの前記ホース接続部５１の突出量６３以上となるように設定した場合を例に挙げて説明したが、これに限定されるものでは無く、例えば前記ホース接続部５１の先端部の外周部にフランジ部ｆが形成されている場合、このフランジ部ｆを除いた主要部での突出量６３を、前記フレーム１１の左側面４２からの各巻き付け部６１，６１端面６４までの突出量６２以下とすれば良い（図６参照）。
【００３０】
この巻き付け部６１，６１は、図３に示すように、円弧状に形成されており、その端面６４，６４には、ネジ掛け穴７１，７１が形成されている。これにより、物置などの壁面に予めネジを螺入しておき、このネジ頭部に前記ネジ掛け穴７１，７１に挿入することで、収納時には、当該ホースリール１を掛止できるように構成されている。
【００３１】
前記各巻き付け部６１，６１の側壁からは、図３及び図４に示すように、フレーム１１の前面２３及び後面２４へ向けて延出する爪部８１，・・・が設けられている。各爪部８１，・・・は、前記フレーム１１の前記左側面４２に沿って延在する板状に形成されており、各爪部８１，８１と前記フレーム１１の左側面４２との間には、前記延出ホース５２を保持する保持空間８２，・・・が形成されている。前記各爪部８１，・・・の先端部には、フレーム１１側方へ向けて膨出した円弧状の湾曲部８３，・・・が形成されており、前記散水ノズル５４の握持部を保持できるように構成されている。
【００３２】
前記フレーム１１下部には、側方に突出する脚部９１が下端部に設けられており、フレーム１１起立時の安定性が高められている。これにより、ハンドル３２を回動して巻取りホース４５をドラム１２に巻き取る際に、フレーム１１が不安定となり、巻き取りにくいという課題を解決することができる。
【００３３】
また、前記フレーム１１の左側面４２からの前記脚部９１の突出量は、前記フレーム１１の左側面４２から各巻き付け部６１，６１の端面６４までの突出量６２とほぼ同寸法に設定されており、前記脚部９１と前記巻き付け部６１，６１とを壁面に密接して配置することができるように構成されている。
【００３４】
この脚部９１の中央部は、下方に後退した円弧状９２に形成されており、前記巻き付け部６１，６１に巻き付けられた延出ホース５２との干渉を回避できるように構成されている。前記脚部９１の両端部には、上方に膨出した山部９３，９３が形成されており、各山部９３，９３は、前記爪部８１，８１の真下に設定されている。これにより、前記延出ホース５２に前記接続プラグ４９を設けた場合には、爪部８１に巻かれた延出ホース５２を垂下させ、先端の接続プラグ４９の開口部を前記山部９３に密接することで、当該開口部からの雨水の浸入が防止できるように構成されている。
【００３５】
そして、前記フレーム１１の右フレーム構成部２２が構成する右側面３１には、図５に示すように、前記円形穴３５の中心、すなわち該円形穴３５に支持される前記ハンドル３２の回転中心軸１０１を中心とした仮想円１０２に沿って延在する円弧状の開口部１０３，１０３が前記前面２３及び前記後面２４側に開設されている。これにより、前記フレームの右側面３１における前記両開口部１０３，１０３間には、天面と底面を結ぶ上下に延在した上下延在部１０４が形成されており、該上下延在部１０４の中途部には、前記円形穴３５を包囲する内側へ後退した円形の段部１０５が形成され補強されている。
【００３６】
前記各開口部１０３，１０３の内縁には、図６に示すように、内方へ突出するフランジ１１１，１１１が全周に渡って形成されており、当該フレーム１１を補強している。
【００３７】
以上の構成にかかる本実施の形態において、フレーム１１の右フレーム構成部２２が形成する右側面３１には、ハンドル３２の回転中心軸１０１を中心とした仮想円１０２に沿って延在する円弧状の開口部１０３，１０３が開設されている。これにより、当該フレーム１１の軽量化を図ることができる。
【００３８】
また、この開口部１０３，１０３の内縁には、内側へ延出するフランジ１１１，１１１が全周に渡って形成されており、当該フレーム１１は、このフランジ１１１，１１１によって補強される。
【００３９】
したがって、前記フレーム１１の軽量化を図りつつ、当該フレーム１１の剛性を高めることができる。
【００４０】
そして、前記開口部１０３，１０３内縁のフランジ１１１，１１１は、前記ハンドル３２の回転中心軸１０１を中心とする仮想円１０２に沿って形成されることとなる。このため、ホース巻取り時にハンドル３２より加えられる回転方向への力に対する剛性を、前記フランジ１１１，１１１によって高めることができる。
【００４１】
よって、フレーム側面に縦方向や横方向や斜め方向に延在する開口部を単純に開設し、この開口部にフランジを設ける場合と比較して、フレーム１１を効率的に補強することができる。
【００４２】
そして、前記フレーム１１に設けられた前記開口部１０３，１０３から前記ドラム１２の鍔部１６の色が表出され、白色のフレーム１１にオレンジ色の円弧を浮き出すことができる。これにより、フレーム１１にアクセントを付けることができ、デザイン性の向上を図ることができる。
【図面の簡単な説明】
【００４３】
【図１】本発明の一実施の形態を示す分解斜視図である。
【図２】同実施の形態の要部の断面図である。
【図３】同実施の形態の左フレーム構成部を示す正面図である。
【図４】同実施の形態の平面を示す一部断面図である。
【図５】同実施の形態の右フレーム構成部を示す正面図である。
【図６】同実施の形態の水平断面図である。
【符号の説明】
【００４４】
１    ホースリール
１１    フレーム
１２    ドラム
３１    右側面
３２    ハンドル
４５    巻取りホース
１０１    回転中心軸
１０２    仮想円
１０３    開口部
１１１    フランジ
【図１】
2005145612.tif 000003
【図２】
2005145612.tif 000004
【図３】
2005145612.tif 000005
【図４】
2005145612.tif 000006
【図５】
2005145612.tif 000007
【図６】
2005145612.tif 000008